(57)【要約】【課題】受信可能なチャンネルを利便性良好に利用する。【解決手段】デジタル放送受信機のＭＰＵ１１は、周波数記憶部１２１に格納された物理チャンネル毎に、受信部１４を介して、それぞれ対応する周波数帯域のテレビジョン放送の受信可否を判定する受信可否判定部１１１と、受信可能であると判定された場合に、受信部１４を介して、物理チャンネルに対応する周波数帯域に含まれ、ユーザによって選択されるチャンネル番号に対応する論理チャンネル毎に、対応するテレビジョン放送が対象とする視聴者の居住する国の国名を識別する国名識別情報を取得する国名取得部１１２と、取得された国名識別情報を、物理チャンネル番号情報及び論理チャンネル番号情報と対応付けてチャンネル記憶部１２２に記録する国名記録部１１３と、を備えている。【選択図】図３
2009049837.tif 000002
【特許請求の範囲】
【請求項１】
デジタル方式のテレビジョン放送を受信し、受信した映像情報をモニタに表示可能に接続されたデジタル放送受信装置であって、
予め設定された周波数帯域のテレビジョン放送を受信する受信手段と、
複数の周波数帯域情報を、それぞれ、周波数帯域を規定するチャンネル番号である物理チャンネル番号情報と対応付けて予め格納する周波数記憶手段と、
前記周波数記憶手段に格納された物理チャンネル毎に、前記受信手段を介して、それぞれ対応する周波数帯域のテレビジョン放送の受信可否を判定する受信可否判定手段と、
前記受信可否判定手段によって受信可能であると判定された場合に、前記受信手段を介して、前記物理チャンネルに対応する周波数帯域に含まれ、ユーザによって選択されるチャンネル番号に対応する論理チャンネル（ＬＣＮ：Ｌｏｇｉｃａｌ  Ｃｈａｎｎｅｌ  Ｎｕｍｂｅｒ）毎に、対応するテレビジョン放送が対象とする視聴者の居住する国の国名を識別する国名識別情報を取得する国名取得手段と、
受信可能なテレビジョン放送に対応する物理チャンネル番号情報及び論理チャンネル番号情報を前記国名識別情報と対応付けて格納するチャンネル記憶手段と、
前記国名取得手段によって取得された国名識別情報を、前記物理チャンネル番号情報及び論理チャンネル番号情報と対応付けて前記チャンネル記憶手段に記録する国名記録手段と、
を備えることを特徴とするデジタル放送受信装置。
【請求項２】
前記国名取得手段は、国毎の標準時を規定するテーブルであるＴＯＴ（Ｔｉｍｅ  Ｏｆｆｓｅｔ  Ｔａｂｌｅ）情報に含まれる国コード（ｃｏｕｎｔｒｙ＿ｃｏｄｅ）情報に基づいて、前記国名識別情報を取得することを特徴とする請求項１に記載のデジタル放送受信装置。
【請求項３】
ユーザが視聴を所望するテレビジョン放送に対応する国の国名識別情報である視聴国名情報として、少なくとも１の国名識別情報を予め格納する国名記憶手段と、
前記チャンネル記憶手段に格納された論理チャンネル番号情報の中から、前記国名記憶手段に格納された国名識別情報と同一の国名識別情報に対応付けられた論理チャンネル番号情報を抽出する番号抽出手段と、
外部からの操作入力を受け付けて、受け付けられた操作入力に基づいて、前記番号抽出手段によって抽出された論理チャンネル番号情報を前記モニタに表示する表示制御手段と、
を備えることを特徴とする請求項１又は請求項２に記載のデジタル放送受信装置。
【請求項４】
外部からの操作入力を受け付けて、受け付けられた操作入力に基づいて、前記表示制御手段によって前記モニタに表示された論理チャンネル番号情報の中から、１の論理チャンネル番号情報を、映像情報を表示する論理チャンネル番号情報として設定するチャンネル設定手段を備えることを特徴とする請求項３に記載のデジタル放送受信装置。
【請求項５】
前記国名記憶手段は、複数の国名識別情報を予め格納しており、
外部からの操作入力を受け付けて、受け付けられた操作入力に基づいて、前記国名記憶手段に格納された複数の国名識別情報の中から１の国名識別情報を選定する国名選定手段を備え、
前記番号抽出手段は、前記国名選定手段によって選定された１の国名識別情報と同一の国名識別情報に対応付けられた論理チャンネル番号情報を抽出することを特徴とする請求項３又は請求項４に記載のデジタル放送受信装置。
【請求項６】
前記国名記録手段は、前記国名取得手段によって前記国名識別情報が取得される度に、取得された国名識別情報を前記国名記憶手段に記録することを特徴とする請求項３〜請求項５のいずれかに記載のデジタル放送受信装置。
【請求項７】
ユーザが視聴を所望するテレビジョン放送に対応する国の国名識別情報である視聴国名情報として、複数の国名識別情報を予め格納する国名記憶手段と、
外部からの操作入力を受け付けて、受け付けられた操作入力に基づいて、前記国名記憶手段に格納された複数の国名識別情報の中から１の国名識別情報を選定する国名選定手段と、
外部からの、前記モニタに映像を表示する論理チャンネル番号である表示チャンネル番号を増加する旨の操作入力を受け付けて、前記表示チャンネル番号を増加する旨の操作入力が受け付けられた場合に、前記チャンネル記憶手段に格納された論理チャンネル番号情報の中から、前記表示チャンネル番号として選択中の論理チャンネル番号よりチャンネル番号が大きく、前記国名選定手段によって選定された国名識別情報と同一の国名識別情報に対応付けられ、且つ、選択中の論理チャンネル番号とのチャンネル番号の差の絶対値が最も小さい１の論理チャンネル番号情報を設定するチャンネル変更手段と、
を備えることを特徴とする請求項１又は請求項２に記載のデジタル放送受信装置。
【請求項８】
前記チャンネル変更手段は、外部からの前記モニタに映像を表示する論理チャンネル番号である表示チャンネル番号を減少する旨の操作入力を受け付けて、前記表示チャンネル番号を減少する旨の操作入力が受け付けられた場合に、前記チャンネル記憶手段に格納された論理チャンネル番号情報の中から、前記表示チャンネル番号として選択中の論理チャンネル番号よりチャンネル番号が小さく、前記国名選定手段によって選定された国名識別情報と同一の国名識別情報に対応付けられ、且つ、選択中の論理チャンネル番号とのチャンネル番号の差の絶対値が最も小さい１の論理チャンネル番号情報を設定することを特徴とする請求項７に記載のデジタル放送受信装置。
【請求項９】
前記国名記録手段は、前記国名取得手段によって前記国名識別情報が取得される度に、取得された国名識別情報を前記国名記憶手段に記録することを特徴とする請求項７又は請求項８に記載のデジタル放送受信装置。
【請求項１０】
前記受信可否判定手段は、前記受信手段を介して受信される放送波のビットエラーレート（ＢＥＲ：Ｂｉｔ  Ｅｒｒｏｒ  Ｒａｔｅ）が、予め設定された所定の閾値以下である場合に、受信可能であると判定することを特徴とする請求項１〜請求項９のいずれかに記載のデジタル放送受信装置。
【発明の詳細な説明】
【技術分野】
【０００１】
本発明は、デジタル方式のテレビジョン放送を受信し、受信した映像情報をモニタに表示可能に接続されたデジタル放送受信装置に関する。
【背景技術】
【０００２】
テレビジョン放送を受信し、外部から視認可能にモニタに出力可能に構成された放送受信装置では、受信周波数を、例えば低い方から高い方へとスキャンしていき、テレビジョン放送の受信ができたチャンネルをプリセットチャンネルとして内部メモリに登録するチャンネルプリセット機能を有している。
【０００３】
上記チャンネルプリセットを効率的に行うために、種々の装置、方法等が提案されている。例えば、ユーザがリモートコマンダーもしくはキー入力回路から国情報と言語情報を入力すると、マイクロプロセッサは第３のメモリに格納されている、国や言語とサーチするフォーマットの優先順位との対応関係を参照し、その優先順位にしたがって放送局コードをサーチする選局装置が開示されている（特許文献１参照）。
【特許文献１】特開平８−１９５９１４号公報
【発明の開示】
【発明が解決しようとする課題】
【０００４】
しかしながら、上記選局装置等を備える従来の放送受信装置では、予め設定された国情報等に合致するチャンネルに限って選局が行われるため、予め設定された国情報等に合致しないチャンネルが受信可能な状態であっても、予め設定された国情報等に合致しないチャンネルを受信することは困難であった。すなわち、予め設定された国情報等に合致しないチャンネルを受信するためには、受信を所望するテレビジョン放送の国情報を設定する必要があるため、操作が煩雑であり、受信可能な全てのチャンネルを利便性良好に利用することは困難であった。
【０００５】
本発明は、上記課題に鑑みてなされたものであって、受信可能なチャンネルを利便性良好に利用することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信し、受信した映像情報をモニタに表示可能に接続されたデジタル放送受信装置であって、予め設定された周波数帯域のテレビジョン放送を受信する受信手段と、複数の周波数帯域情報を、それぞれ、周波数帯域を規定するチャンネル番号である物理チャンネル番号情報と対応付けて予め格納する周波数記憶手段と、前記周波数記憶手段に格納された物理チャンネル毎に、前記受信手段を介して、それぞれ対応する周波数帯域のテレビジョン放送の受信可否を判定する受信可否判定手段と、前記受信可否判定手段によって受信可能であると判定された場合に、前記受信手段を介して、前記物理チャンネルに対応する周波数帯域に含まれ、ユーザによって選択されるチャンネル番号に対応する論理チャンネル（ＬＣＮ：Ｌｏｇｉｃａｌ  Ｃｈａｎｎｅｌ  Ｎｕｍｂｅｒ）毎に、対応するテレビジョン放送が対象とする視聴者の居住する国の国名を識別する国名識別情報を取得する国名取得手段と、受信可能なテレビジョン放送に対応する物理チャンネル番号情報及び論理チャンネル番号情報を前記国名識別情報と対応付けて格納するチャンネル記憶手段と、前記国名取得手段によって取得された国名識別情報を、前記物理チャンネル番号情報及び論理チャンネル番号情報と対応付けて前記チャンネル記憶手段に記録する国名記録手段と、を備えることを特徴としている。
【０００７】
請求項２に記載のデジタル放送受信装置は、請求項１に記載のデジタル放送受信装置であって、前記国名取得手段が、国毎の標準時を規定するテーブルであるＴＯＴ（Ｔｉｍｅ  Ｏｆｆｓｅｔ  Ｔａｂｌｅ）情報に含まれる国コード（ｃｏｕｎｔｒｙ＿ｃｏｄｅ）情報に基づいて、前記国名識別情報を取得することを特徴としている。
【０００８】
請求項３に記載のデジタル放送受信装置は、請求項１又は請求項２に記載のデジタル放送受信装置であって、ユーザが視聴を所望するテレビジョン放送に対応する国の国名識別情報である視聴国名情報として、少なくとも１の国名識別情報を予め格納する国名記憶手段と、前記チャンネル記憶手段に格納された論理チャンネル番号情報の中から、前記国名記憶手段に格納された国名識別情報と同一の国名識別情報に対応付けられた論理チャンネル番号情報を抽出する番号抽出手段と、外部からの操作入力を受け付けて、受け付けられた操作入力に基づいて、前記番号抽出手段によって抽出された論理チャンネル番号情報を前記モニタに表示する表示制御手段と、を備えることを特徴としている。
【０００９】
請求項４に記載のデジタル放送受信装置は、請求項３に記載のデジタル放送受信装置であって、外部からの操作入力を受け付けて、受け付けられた操作入力に基づいて、前記表示制御手段によって前記モニタに表示された論理チャンネル番号情報の中から、１の論理チャンネル番号情報を、映像情報を表示する論理チャンネル番号情報として設定するチャンネル設定手段を備えることを特徴としている。
【００１０】
請求項５に記載のデジタル放送受信装置は、請求項３又は請求項４に記載のデジタル放送受信装置であって、前記国名記憶手段が、複数の国名識別情報を予め格納しており、外部からの操作入力を受け付けて、受け付けられた操作入力に基づいて、前記国名記憶手段に格納された複数の国名識別情報の中から１の国名識別情報を選定する国名選定手段を備え、前記番号抽出手段が、前記国名選定手段によって選定された１の国名識別情報と同一の国名識別情報に対応付けられた論理チャンネル番号情報を抽出することを特徴としている。
【００１１】
請求項６に記載のデジタル放送受信装置は、請求項３〜請求項５のいずれかに記載のデジタル放送受信装置であって、前記国名記録手段が、前記国名取得手段によって前記国名識別情報が取得される度に、取得された国名識別情報を前記国名記憶手段に記録することを特徴としている。
【００１２】
請求項７に記載のデジタル放送受信装置は、請求項１又は請求項２に記載のデジタル放送受信装置であって、ユーザが視聴を所望するテレビジョン放送に対応する国の国名識別情報である視聴国名情報として、複数の国名識別情報を予め格納する国名記憶手段と、外部からの操作入力を受け付けて、受け付けられた操作入力に基づいて、前記国名記憶手段に格納された複数の国名識別情報の中から１の国名識別情報を選定する国名選定手段と、外部からの、前記モニタに映像を表示する論理チャンネル番号である表示チャンネル番号を増加する旨の操作入力を受け付けて、前記表示チャンネル番号を増加する旨の操作入力が受け付けられた場合に、前記チャンネル記憶手段に格納された論理チャンネル番号情報の中から、前記表示チャンネル番号として選択中の論理チャンネル番号よりチャンネル番号が大きく、前記国名選定手段によって選定された国名識別情報と同一の国名識別情報に対応付けられ、且つ、選択中の論理チャンネル番号とのチャンネル番号の差の絶対値が最も小さい１の論理チャンネル番号情報を設定するチャンネル変更手段と、を備えることを特徴としている。
【００１３】
請求項８に記載のデジタル放送受信装置は、請求項７に記載のデジタル放送受信装置であって、前記チャンネル変更手段が、外部からの前記モニタに映像を表示する論理チャンネル番号である表示チャンネル番号を減少する旨の操作入力を受け付けて、前記表示チャンネル番号を減少する旨の操作入力が受け付けられた場合に、前記チャンネル記憶手段に格納された論理チャンネル番号情報の中から、前記表示チャンネル番号として選択中の論理チャンネル番号よりチャンネル番号が小さく、前記国名選定手段によって選定された国名識別情報と同一の国名識別情報に対応付けられ、且つ、選択中の論理チャンネル番号とのチャンネル番号の差の絶対値が最も小さい１の論理チャンネル番号情報を設定することを特徴としている。
【００１４】
請求項９に記載のデジタル放送受信装置は、請求項７又は請求項８に記載のデジタル放送受信装置であって、前記国名記録手段が、前記国名取得手段によって前記国名識別情報が取得される度に、取得された国名識別情報を前記国名記憶手段に記録することを特徴としている。
【００１５】
請求項１０に記載のデジタル放送受信装置は、請求項１〜請求項９のいずれかに記載のデジタル放送受信装置であって、前記受信可否判定手段が、前記受信手段を介して受信される放送波のビットエラーレート（ＢＥＲ：Ｂｉｔ  Ｅｒｒｏｒ  Ｒａｔｅ）が、予め設定された所定の閾値以下である場合に、受信可能であると判定することを特徴としている。
【発明の効果】
【００１６】
請求項１に記載のデジタル放送受信装置によれば、複数の周波数帯域情報が、それぞれ、周波数帯域を規定するチャンネル番号である物理チャンネル番号情報と対応付けて予め周波数記憶手段に格納されており、周波数記憶手段に格納された物理チャンネル毎に、予め設定された周波数帯域のテレビジョン放送を受信する受信手段を介して、それぞれ対応する周波数帯域のテレビジョン放送の受信可否が判定される。そして、受信可能であると判定された場合に、受信手段を介して、物理チャンネルに対応する周波数帯域に含まれ、ユーザによって選択されるチャンネル番号に対応する論理チャンネル（ＬＣＮ：Ｌｏｇｉｃａｌ  Ｃｈａｎｎｅｌ  Ｎｕｍｂｅｒ）毎に、対応するテレビジョン放送が対象とする視聴者の居住する国の国名を識別する国名識別情報が取得され、取得された国名識別情報が、物理チャンネル番号情報及び論理チャンネル番号情報と対応付けてチャンネル記憶手段に記録されるため、受信可能なチャンネルを利便性良好に利用することができる。
【００１７】
すなわち、受信可能なテレビジョン放送が対象とする視聴者の居住する国の国名を識別する国名識別情報が取得され、取得された国名識別情報が、物理チャンネル番号情報及び論理チャンネル番号情報と対応付けてチャンネル記憶手段に記録されるため、ユーザは、チャンネル記憶手段に格納された国名識別情報を参照して論理チャンネル番号情報を指定することによって、所望する国名識別情報を有するテレビジョン放送を視聴することが可能となるので、受信可能なチャンネルを利便性良好に利用することができるのである。
【００１８】
請求項２に記載のデジタル放送受信装置によれば、国毎の標準時を規定するテーブルであるＴＯＴ情報に含まれる国コード情報に基づいて、国名識別情報が取得されるため、的確な国情報を容易に取得することができ、受信可能なチャンネルを更に利便性良好に利用することができる。
【００１９】
すなわち、欧州のデジタル放送規格であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）において規定されているように、国毎の標準時を規定するテーブルであるＴＯＴ（Ｔｉｍｅ  Ｏｆｆｓｅｔ  Ｔａｂｌｅ）情報には、オフセット時間を示す記述子（Ｌｏｃａｌ  ｔｉｍｅ  ｏｆｆｓｅｔ  ｄｅｓｃｒｉｐｔｏｒ）に国コード（ｃｏｕｎｔｒｙ＿ｃｏｄｅ）情報が含まれている（ＥＴＳＩ  ＥＮ  ３００  ４６８  Ｖ１．７．１（２００６−０５）参照）ため、ＴＯＴ情報に含まれる国コード情報に基づいて、国名識別情報が取得されるので、的確な国情報を容易に取得することができるのである。
【００２０】
請求項３に記載のデジタル放送受信装置によれば、ユーザが視聴を所望するテレビジョン放送に対応する国の国名識別情報である視聴国名情報として、少なくとも１の国名識別情報が国名記憶手段に予め格納されており、チャンネル記憶手段に格納された論理チャンネル番号情報の中から、国名記憶手段に格納された国名識別情報と同一の国名識別情報に対応付けられた論理チャンネル番号情報が抽出される。そして、外部からの操作入力が受け付けられて、受け付けられた操作入力に基づいて、抽出された論理チャンネル番号情報がモニタに表示されるため、受信可能なチャンネルを更に利便性良好に利用することができる。
【００２１】
すなわち、チャンネル記憶手段に格納された論理チャンネル番号情報の中から、国名記憶手段に格納された国名識別情報と同一の国名識別情報に対応付けられた論理チャンネル番号情報が抽出され、外部からの操作入力に基づいて、抽出された論理チャンネル番号情報がモニタに表示されるため、ユーザは、チャンネル記憶手段に視聴を所望するテレビジョン放送の国名識別情報を予め格納しておくことによって、視聴を所望するテレビジョン放送を容易に視聴することが可能となるので、受信可能なチャンネルを更に利便性良好に利用することができるのである。
【００２２】
請求項４に記載のデジタル放送受信装置によれば、外部からの操作入力が受け付けられて、受け付けられた操作入力に基づいて、モニタに表示された論理チャンネル番号情報の中から、１の論理チャンネル番号情報が、映像情報を表示する論理チャンネル番号情報として設定されるため、受信可能なチャンネルを更に利便性良好に利用することができる。
【００２３】
すなわち、ユーザが視聴を所望する国名識別情報を有するテレビジョン放送の論理チャンネル番号情報がモニタに表示され、モニタに表示された論理チャンネル番号情報の中から、１の論理チャンネル番号情報が、映像情報を表示する論理チャンネル番号情報として設定されるため、視聴を所望する国名識別情報を有するテレビジョン放送を容易に視聴することができるので、受信可能なチャンネルを更に利便性良好に利用することができるのである。
【００２４】
請求項５に記載のデジタル放送受信装置によれば、国名記憶手段に、複数の国名識別情報が予め格納されており、外部からの操作入力が受け付けられて、受け付けられた操作入力に基づいて、国名記憶手段に格納された複数の国名識別情報の中から１の国名識別情報が選定され、選定された１の国名識別情報と同一の国名識別情報に対応付けられた論理チャンネル番号情報が抽出されて、抽出された論理チャンネル番号情報がモニタに表示されるため、受信可能なチャンネルを更に利便性良好に利用することができる。
【００２５】
すなわち、ユーザが視聴を所望するテレビジョン放送の国名識別情報が複数ある場合に、該複数の国名識別情報をチャンネル記憶手段に予め格納しておき、国名記憶手段に格納された複数の国名識別情報の中から１の国名識別情報を選定することによって、選定された１の国名識別情報と同一の国名識別情報に対応付けられた論理チャンネル番号情報が抽出されて、抽出された論理チャンネル番号情報がモニタに表示されるため、視聴を所望する国名識別情報を有するテレビジョン放送を容易に視聴することができるので、受信可能なチャンネルを更に利便性良好に利用することができるのである。
【００２６】
請求項６に記載のデジタル放送受信装置によれば、国名識別情報が取得される度に、取得された国名識別情報が国名記憶手段に記録されるため、ユーザが視聴を所望するテレビジョン放送の国名識別情報を国名記憶手段に格納する必要がないため、受信可能なチャンネルを更に利便性良好に利用することができる。
【００２７】
請求項７に記載のデジタル放送受信装置によれば、ユーザが視聴を所望するテレビジョン放送に対応する国の国名識別情報である視聴国名情報として、複数の国名識別情報が予め国名記憶手段に格納されており、外部からの操作入力が受け付けられて、受け付けられた操作入力に基づいて、国名記憶手段に格納された複数の国名識別情報の中から１の国名識別情報が選定される。そして、外部からの、モニタに映像を表示する論理チャンネル番号である表示チャンネル番号を増加する旨の操作入力が受け付けられて、表示チャンネル番号を増加する旨の操作入力が受け付けられた場合に、チャンネル記憶手段に格納された論理チャンネル番号情報の中から、表示チャンネル番号として選択中の論理チャンネル番号よりチャンネル番号が大きく、国名記憶手段に格納された複数の国名識別情報の中から選定された国名識別情報と同一の国名識別情報に対応付けられ、且つ、選択中の論理チャンネル番号とのチャンネル番号の差の絶対値が最も小さい１の論理チャンネル番号情報が設定されるため、受信可能なチャンネルを更に利便性良好に利用することができる。
【００２８】
すなわち、表示チャンネル番号を増加する旨の操作入力が受け付けられた場合に、チャンネル記憶手段に格納された論理チャンネル番号情報の中から、選定された国名識別情報と同一の国名識別情報を有する論理チャンネル番号情報が順次設定されるため、ユーザは、表示チャンネル番号を増加する旨の操作入力を行うことによって、ユーザが視聴を所望する国名識別情報を有するテレビジョン放送に対応する論理チャンネル番号情報を順次（昇順で）設定することができるので、受信可能なチャンネルを更に利便性良好に利用することができるのである。
【００２９】
請求項８に記載のデジタル放送受信装置によれば、外部からのモニタに映像を表示する論理チャンネル番号である表示チャンネル番号を減少する旨の操作入力が受け付けられて、表示チャンネル番号を減少する旨の操作入力が受け付けられた場合に、チャンネル記憶手段に格納された論理チャンネル番号情報の中から、表示チャンネル番号として選択中の論理チャンネル番号よりチャンネル番号が小さく、国名記憶手段に格納された複数の国名識別情報の中から選定された国名識別情報と同一の国名識別情報に対応付けられ、且つ、選択中の論理チャンネル番号とのチャンネル番号の差の絶対値が最も小さい１の論理チャンネル番号情報が設定されるため、受信可能なチャンネルを更に利便性良好に利用することができる。
【００３０】
すなわち、表示チャンネル番号を減少する旨の操作入力が受け付けられた場合に、チャンネル記憶手段に格納された論理チャンネル番号情報の中から、選定された国名識別情報と同一の国名識別情報を有する論理チャンネル番号情報が順次設定されるため、ユーザは、表示チャンネル番号を減少する旨の操作入力を行うことによって、ユーザが視聴を所望する国名識別情報を有するテレビジョン放送に対応する論理チャンネル番号情報を順次（降順で）設定することができるので、受信可能なチャンネルを更に利便性良好に利用することができるのである。
【００３１】
請求項９に記載のデジタル放送受信装置によれば、国名識別情報が取得される度に、取得された国名識別情報が国名記憶手段に記録されるため、ユーザが視聴を所望するテレビジョン放送の国名識別情報を国名記憶手段に格納する必要がないため、受信可能なチャンネルを更に利便性良好に利用することができる。
【００３２】
請求項１０に記載のデジタル放送受信装置によれば、受信手段を介して受信される放送波のビットエラーレートが、予め設定された所定の閾値以下である場合に、受信可能であると判定されるため、的確且つ容易に受信可否を判定することができるので、受信可能なチャンネルを更に利便性良好に利用することができる。
【発明を実施するための最良の形態】
【００３３】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００３４】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００３５】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３６】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００３７】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００３８】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００３９】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００４０】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００４１】
赤外線通信部１８は、リモコン２からの電源のＯＮ、ＯＦＦ操作、選局、デジタル放送受信機１の各種設定等の各種操作を受け付けるものである。
【００４２】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００４３】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００４４】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００４５】
図２は、リモコン２の一例を示す正面図である。リモコン２（国名選定手段の一部、チャンネル設定手段の一部、チャンネル変更手段の一部、及び、表示制御手段の一部に相当する）は、ユーザからの操作入力を受け付けて、操作入力に対応する赤外線信号を生成して、デジタル放送受信機１に対して出力するものであって、赤外線信号出力部２１、方向キー２２、決定キー２３、チャンネル変更キー２４、及び、メニューキー２５を備えている。赤外線信号出力部２１は、ユーザによって押下されたキーに対応する操作信号を生成し、赤外線信号に変換してデジタル放送受信機１（赤外線通信部１８）に対して送信するものである。
【００４６】
方向キー２２は、ディスプレイ１７３に表示された複数の選択肢の中から１の選択肢を選択する場合等に押下されるキーであって、上方向キー、下方向キー、左方向キー、及び、右方向キーの４個のキーから構成されている。また、ここでは、方向キー２２の内、左方向キー及び右方向キーは、後述する国名記憶部１２３に格納された複数の国名識別情報の中から１の国名識別情報を選定する場合に押下されるキーである。決定キー２３は、方向キー２２によって選択された選択肢に決定する場合等に押下されるキーである。
【００４７】
チャンネル変更キー２４は、チャンネルアップキー及びチャンネルダウンキーからなり、図１に示すＲＡＭ１２等に予め格納され、受信可能なチャンネル番号情報を番号順に格納するチャンネルテーブル（図５参照）から１のチャンネル番号情報を読み出し、チャンネルを設定する場合に押下されるキーである。チャンネルアップキーは、チャンネルテーブルにおいて、選択中のチャンネル番号の前に格納されており、後述する国名選定部１１４によって選定された国名識別情報を有するチャンネル番号を設定する場合に押下されるキーであり、チャンネルダウンキーは、選択中のチャンネル番号の後に格納されており、後述する国名選定部１１４によって選定された国名識別情報を有するチャンネル番号を設定する場合に押下されるキーである。
【００４８】
メニューキー２５は、種々の設定等を行う場合に押下されるキーであって、ここでは、後述する番号抽出部１１５によって抽出された論理チャンネル番号情報をディスプレイ１７３に表示する場合に押下されるキーである。
【００４９】
図３は、本発明に係るデジタル放送受信機１における主要部の構成の一例を示すブロック図である。ＭＰＵ１１は、機能的に、受信可否判定部１１１、国名取得部１１２、国名記録部１１３、国名選定部１１４、番号抽出部１１５、表示制御部１１６、チャンネル設定部１１７、及び、チャンネル変更部１１８を備え、ＲＡＭ１２は、機能的に、周波数記憶部１２１、チャンネル記憶部１２２、及び、国名記憶部１２３を備えている。
【００５０】
ここでは、ＭＰＵ１１が、図１に示すＲＯＭ１３等に予め格納された制御プログラムを読み出して実行することにより、受信可否判定部１１１、国名取得部１１２、国名記録部１１３、国名選定部１１４、番号抽出部１１５、表示制御部１１６、チャンネル設定部１１７、チャンネル変更部１１８等の機能部として機能すると共に、ＲＡＭ１２を、周波数記憶部１２１、チャンネル記憶部１２２、国名記憶部１２３等の機能部として機能させるものである。
【００５１】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００５２】
周波数記憶部１２１（周波数記憶手段に相当する）は、複数の周波数帯域情報を、それぞれ、周波数帯域を規定するチャンネル番号である物理チャンネル番号情報と対応付けて予め格納するものである。
【００５３】
チャンネル記憶部１２２（チャンネル記憶手段に相当する）は、受信可能なテレビジョン放送に対応する物理チャンネル番号情報及び論理チャンネル番号情報を、国名識別情報及びチャンネル名称情報と対応付けて（いわゆる、「チャンネルリスト」を）格納する（図４（ａ）参照）ものである。チャンネル記憶部１２２に格納される物理チャンネル番号情報、論理チャンネル番号情報及び国名識別情報は、国名記録部１１３によって記録され（＝書き込まれ）、番号抽出部１１５及びチャンネル変更部１１８によって読み出されるものである。
【００５４】
図４（ａ）は、チャンネル記憶部１２２に格納されたチャンネルリストの一例を示す図表である。図表は、左側から順に、物理チャンネル番号、論理チャンネル番号、国コード（＝国名識別情報に対応するもの）、及び、チャンネル名称である。例えば、物理チャンネル番号「２１」には、３個の論理チャンネル（論理チャンネル番号が「２」、「４」、「１４」）が含まれており、３個の論理チャンネルは全て国コードが「ＦＲＡ」であって、フランスに居住する視聴者を対象とするテレビジョン放送である。また、論理チャンネル番号が「２」、「４」、「１４」のテレビジョン放送のチャンネル名称は、それぞれ、「フランスＡ」、「フランスＢ」、「フランスＣ」である。
【００５５】
また、例えば、物理チャンネル番号「３０」には、２個の論理チャンネル（論理チャンネル番号が「３」、「２０」）が含まれており、２個の論理チャンネルは全て国コードが「ＩＴＡ」であって、イタリアに居住する視聴者を対象とするテレビジョン放送である。また、論理チャンネル番号が「３」、「２０」のテレビジョン放送のチャンネル名称は、それぞれ、「イタリアＡ」、「イタリアＢ」である。
【００５６】
再び、図３に戻って、主要部の機能構成について説明する。国名記憶部１２３（国名記憶手段に相当する）は、ユーザが視聴を所望するテレビジョン放送に対応する国の国名識別情報である視聴国名情報として、複数の国名識別情報を格納するものである。国名記憶部１２３に格納される国名識別情報は、国名記録部１１３によって記録され（＝書き込まれ）、国名選定部１１４及びチャンネル変更部１１８によって読み出されるものである。
【００５７】
受信可否判定部１１１（受信可否判定手段に相当する）は、周波数記憶部１２１に格納された物理チャンネル毎に、受信部１４を介して、それぞれ対応する周波数帯域のテレビジョン放送の受信可否を判定するものである。具体的には、受信可否判定部１１１は、受信部１４を介して受信される放送波のビットエラーレート（ＢＥＲ：Ｂｉｔ  Ｅｒｒｏｒ  Ｒａｔｅ）が、予め設定された所定の閾値（例えば、１０-7）以下である場合に、受信可能であると判定するものである。
【００５８】
国名取得部１１２（国名取得手段に相当する）は、受信可否判定部１１１によって受信可能であると判定された場合に、受信部１４を介して、物理チャンネルに対応する周波数帯域に含まれ、ユーザによって選択されるチャンネル番号に対応する論理チャンネル（ＬＣＮ：Ｌｏｇｉｃａｌ  Ｃｈａｎｎｅｌ  Ｎｕｍｂｅｒ）毎に、対応するテレビジョン放送が対象とする視聴者の居住する国の国名を識別する国名識別情報、及び、論理チャンネルの名称であるチャンネル名称情報を取得するものである。
【００５９】
具体的には、国名取得部１１２は、受信部１４を介して受信されるＴＳ（Ｔｒａｎｓｐｏｒｔ  Ｓｔｒｅａｍ）内の国毎の標準時を規定するテーブルであるＴＯＴ（Ｔｉｍｅ  Ｏｆｆｓｅｔ  Ｔａｂｌｅ）情報に含まれる国コード（ｃｏｕｎｔｒｙ＿ｃｏｄｅ）情報に基づいて、国名識別情報を取得するものである（ＥＴＳＩ  ＥＮ  ３００  ４６８  Ｖ１．７．１（２００６−０５）参照）。
【００６０】
また、国名取得部１１２は、受信可否判定部１１１によって受信可能であると判定された場合に、受信部１４を介してユーザによって選択されるチャンネル番号に対応する論理チャンネル情報を取得する（又は、論理チャンネル情報を生成する）ものである。
【００６１】
国名記録部１１３（国名記録手段に相当する）は、国名取得部１１２によって取得された国名識別情報及びチャンネル名称情報を、物理チャンネル番号情報及び論理チャンネル番号情報と対応付けてチャンネル記憶部１２２に記録する（＝書き込む）ものである。また、国名記録部１１３は、国名取得部１１２によって前記国名識別情報が取得される度に、取得された国名識別情報を国名記憶部１２３に記録する（＝書き込む）ものである。
【００６２】
国名選定部１１４（国名選定手段の一部に相当する）は、リモコン２を介してユーザからの操作入力を受け付けて、受け付けられた操作入力に基づいて、国名記憶部１２３に格納された複数の国名識別情報の中から１の国名識別情報を選定するものである。なお、国名選定部１１４は、デフォールトとして国名記憶部１２３に格納された複数の国名識別情報の中から１の国名識別情報（例えば、フランス）を選定しているものである。
【００６３】
ここでは、表示制御部１１６によって番号抽出部１１５によって抽出された論理チャンネル番号情報（図４（ｂ）、（ｃ）参照）がディスプレイ１７３に表示されている状態で、国名選定部１１４は、図２に示すリモコン２に配設された方向キー２２の内、左方向キーが押下されたことを受け付けた場合には、国名記憶部１２３に格納された複数の国名識別情報の中から、選択中の国名識別情報（例えば、イタリア）の１つ前に格納されている１の国名識別情報（例えば、フランス）を選定するものである。また、国名選定部１１４は、図２に示すリモコン２に配設された方向キー２２の内、右方向キーが押下されたことを受け付けた場合には、国名記憶部１２３に格納された複数の国名識別情報の中から、選択中の国名識別情報（例えば、フランス）の１つ後に格納されている１の国名識別情報（例えば、イタリア）を選定するものである。
【００６４】
番号抽出部１１５（番号抽出手段に相当する）は、チャンネル記憶部１２２に格納された論理チャンネル番号情報の中から、国名記憶部１２３に格納された国名識別情報の内、国名選定部１１４によって選定された国名識別情報と同一の国名識別情報に対応付けられた論理チャンネル番号情報及びチャンネル名称情報を抽出するものである。
【００６５】
表示制御部１１６（表示制御手段の一部に相当する）は、リモコン２を介してユーザからの操作入力を受け付けて、受け付けられた操作入力に基づいて（ここでは、図２に示すリモコン２に配設されたメニューキー２５が押下されたことが受け付けられた場合に）、番号抽出部１１５によって抽出された論理チャンネル番号情報及びチャンネル名称情報をディスプレイ１７３に選択可能に表示するものである。また、表示制御部１１６は、チャンネル設定部１１７、又は、チャンネル変更部１１８によって１の論理チャンネルが設定された場合に、受信部１４を介して、設定された論理チャンネルに対応するテレビジョン放送を受信し、受信された映像情報をディスプレイ１７３に表示するものである。
【００６６】
図４（ｂ）、（ｃ）は、表示制御部１１６によってディスプレイ１７３に選択可能に表示される論理チャンネル番号情報及びチャンネル名称情報の一例を示す図表である。（ｂ）は、図４（ａ）に示すチャンネルリストがチャンネル記憶部１２２に格納されている状態で、国名選定部１１４によって国名識別情報として「フランス（ＦＲＡ）」が選定されている場合に、表示制御部１１６よってディスプレイ１７３に表示される論理チャンネル番号情報及びチャンネル名称情報の一例を示す図表である。（ｃ）は、図４（ａ）に示すチャンネルリストがチャンネル記憶部１２２に格納されている状態で、国名選定部１１４によって国名識別情報として「イタリア（ＩＴＡ）」が選定されている場合に、表示制御部１１６よってディスプレイ１７３に表示される論理チャンネル番号情報及びチャンネル名称情報の一例を示す図表である。
【００６７】
図４（ｂ）、（ｃ）に示すように、ディスプレイ１７３には、論理チャンネル番号情報でソートされた状態で、論理チャンネル番号情報が、チャンネル名称情報と対応付けられて表示される。また、チャンネル設定部１１７は、図４（ｂ）（又は、図４（ｃ））に示す図表の中から、いずれか１の論理チャンネルを選択することによって、映像情報を表示する論理チャンネル番号情報として設定するものである。
【００６８】
再び、図３に戻って、主要部の機能構成について説明する。チャンネル設定部１１７（チャンネル設定手段の一部に相当する）は、リモコン２を介してユーザからの操作入力を受け付けて、受け付けられた操作入力に基づいて、表示制御部１１６によってディスプレイ１７３に表示された論理チャンネル番号情報の中から、１の論理チャンネル番号情報を、映像情報を表示する論理チャンネル番号情報として設定するものである。
【００６９】
具体的には、チャンネル設定部１１７は、図２に示すリモコン２に配設された方向キー２２の内、上方向キー又は下方向キーが押下されたことを受け付けた場合に、押下された方向キーの示す方向に選択状態を移動させ、決定キー２３が押下されたことを受け付けた場合に、選択されている論理チャンネル番号情報を、映像情報を表示する論理チャンネル番号情報として設定するものである。
【００７０】
チャンネル変更部１１８（チャンネル変更手段の一部の一部に相当する）は、国名記録部１１３によって、周波数記憶部１２１に格納された全ての物理チャンネルについて、国名取得部１１２により取得された国名識別情報及びチャンネル名称情報が、物理チャンネル番号情報及び論理チャンネル番号情報と対応付けてチャンネル記憶部１２２に記録された場合（＝完成されたチャンネルリストがチャンネル記憶部１２２に記録された場合）に、チャンネル記憶部１２２に記録されたチャンネルリストを論理チャンネル番号でソートして、ソートされた論理チャンネル番号を国名識別情報と対応付けてソートされたチャンネルリスト（以下、「ソートリスト」という）（図５参照）として、チャンネル記憶部１２２に記録するものである。
【００７１】
また、チャンネル変更部１１８は、リモコン２を介してユーザからの、ディスプレイ１７４に映像を表示する論理チャンネル番号である表示チャンネル番号を増加する旨の操作入力（＝図２に示すリモコン２に配設されたチャンネル変更キー２４のチャンネルアップキーの押下）を受け付けて、表示チャンネル番号を増加する旨の操作入力が受け付けられた場合に、チャンネル記憶部１２２に格納されたソートリストの論理チャンネル番号情報の中から、表示チャンネル番号として選択中の論理チャンネル番号よりチャンネル番号が大きく、国名選定部１１４によって選定された国名識別情報と同一の国名識別情報に対応付けられ、且つ、選択中の論理チャンネル番号とのチャンネル番号の差の絶対値が最も小さい１の論理チャンネル番号情報を設定するものである。
【００７２】
更に、チャンネル変更部１１８は、リモコン２を介してユーザからの、ディスプレイ１７４に映像を表示する論理チャンネル番号である表示チャンネル番号を減少する旨の操作入力（＝図２に示すリモコン２に配設されたチャンネル変更キー２４のチャンネルダウンキーの押下）を受け付けて、表示チャンネル番号を減少する旨の操作入力が受け付けられた場合に、チャンネル記憶部１２２に格納されたソートリストの論理チャンネル番号情報の中から、表示チャンネル番号として選択中の論理チャンネル番号よりチャンネル番号が小さく、国名選定部１１４によって選定された国名識別情報と同一の国名識別情報に対応付けられ、且つ、選択中の論理チャンネル番号とのチャンネル番号の差の絶対値が最も小さい１の論理チャンネル番号情報を設定するものである。
【００７３】
図５は、図４（ａ）に示すチャンネルリストに対応するソートリストの一例を示す図表である。図の左側から順に、論理チャンネル番号、国コード（＝国名識別情報に対応するもの）、及び、チャンネル名称を示している。例えば、国名選定部１１４によって国名識別情報として「フランス（ＦＲＡ）」が選定されており、表示チャンネル番号として論理チャンネル番号「４」が選択されている状態で、リモコン２に配設されたチャンネル変更キー２４のチャンネルアップキーの押下が受け付けられた場合には、チャンネル変更部１１８によって、表示チャンネル番号が、論理チャンネル番号「１４」に変更される。
【００７４】
また、例えば、国名選定部１１４によって国名識別情報として「フランス（ＦＲＡ）」が選定されており、表示チャンネル番号として論理チャンネル番号「４」が選択されている状態で、リモコン２に配設されたチャンネル変更キー２４のチャンネルダウンキーの押下が受け付けられた場合には、チャンネル変更部１１８によって、表示チャンネル番号が、論理チャンネル番号「２」に変更される。
【００７５】
図６は、デジタル放送受信機１（主にＭＰＵ１１）のチャンネルリスト生成処理の一例を示すフローチャートである。ここでは、便宜上、周波数記憶部１２１に、複数の周波数帯域情報が、それぞれ、周波数帯域を規定するチャンネル番号である物理チャンネル番号情報と対応付けて予め格納されている場合について説明する。まず、受信可否判定部１１１によって、周波数記憶部１２１に格納された１の周波数帯域が読み出される（Ｓ１０１）。そして、受信可否判定部１１１によって、ステップＳ１０１において読み出された周波数帯域のテレビジョン放送の受信可否が判定される（Ｓ１０３）。
【００７６】
テレビジョン放送が受信できないと判定された場合（Ｓ１０３でＮＯ）には、処理がステップＳ１０９に進められる。テレビジョン放送が受信できると判定された場合（Ｓ１０３でＹＥＳ）には、国名取得部１１２によって、論理チャンネル毎に、対応する国名識別情報及びチャンネル名称情報が取得される（Ｓ１０５）。そして、国名記録部１１３によって、ステップＳ１０５において取得された国名識別情報及びチャンネル名称情報がチャンネル記憶部１２２に書き込まれる（Ｓ１０７）。
【００７７】
ステップＳ１０７の処理が終了した場合、又は、ステップＳ１０３でＮＯの場合には、受信可否判定部１１１によって、周波数記憶部１２１に格納された全ての物理チャンネルについて受信可否の判定が完了したか否かの判定が行われる（Ｓ１０９）。受信可否の判定が完了していない物理チャンネルがあると判定された場合（Ｓ１０９でＮＯ）には、処理がステップＳ１０１に戻され、ステップＳ１０１において他の物理チャンネルに対応する周波数帯域が読み出され、ステップＳ１０１以降の処理が繰り返し実行される。全ての物理チャンネルについて受信可否の判定が完了したと判定された場合（Ｓ１０９でＹＥＳ）には、処理が終了される。
【００７８】
図７、図８は、デジタル放送受信機１（主にＭＰＵ１１）のチャンネル設定変更処理の一例を示すフローチャートである。ここでは、便宜上、チャンネル変更部１１８によって、ソートリストが予めチャンネル記憶部１２２に格納されている場合について説明する。まず、番号抽出部１１５によって、チャンネル記憶部１２２に格納された論理チャンネル番号情報の中から、デフォールトの国名識別情報（例えば、フランス）と同一の国名識別情報に対応付けられた論理チャンネル番号情報及びチャンネル名称情報が抽出される（Ｓ２０１）。そして、表示制御部１１６によって、メニューキー２５が押下されたことが受け付けられたか否か（＝論理チャンネル番号を表示する旨の操作入力が受け付けられたか否か）の判定が行われる（Ｓ２０３）。
【００７９】
論理チャンネル番号を表示する旨の操作入力が受け付けられていないと判定された場合（Ｓ２０３でＮＯ）には、図８に示すステップＳ２１３に処理が進められる。論理チャンネル番号を表示する旨の操作入力が受け付けられたと判定された場合（Ｓ２０３でＹＥＳ）には、表示制御部１１６によって、ステップＳ２０１において抽出された論理チャンネル番号情報及びチャンネル名称情報がディスプレイ１７３に選択可能に表示される（Ｓ２０５）。そして、国名選定部１１４によって、国名記憶部１２３に格納された複数の国名識別情報の中から１の国名識別情報が選定されたか否か（＝図２に示すリモコン２に配設された方向キー２２の内、左方向キー又は右方向キーが押下されたことが受け付けられたか否か）の判定が行われる（Ｓ２０７）。
【００８０】
国名識別情報が選定されたと判定された場合（Ｓ２０７でＹＥＳ）には、処理がステップＳ２０１に戻され、番号抽出部１１５によって、ステップＳ２０７において設定された国名識別情報と同一の国名識別情報に対応付けられた論理チャンネル番号情報及びチャンネル名称情報が抽出され、ステップＳ２０１以降の処理が繰り返し実行される。国名識別情報が選定されていないと判定された場合（Ｓ２０７でＮＯ）には、チャンネル設定部１１７によって、ステップＳ２０５においてディスプレイ１７３に表示された論理チャンネル番号情報の中から、１の論理チャンネル番号情報が、映像情報を表示する論理チャンネル番号情報として設定されたか否かの判定が行われる（Ｓ２０９）。
【００８１】
論理チャンネル番号情報が設定されていないと判定された場合（Ｓ２０９でＮＯ）には、処理がステップＳ２０７に戻され、ステップＳ２０７以降の処理が繰り返し実行される。論理チャンネル番号情報が設定されたと判定された場合（Ｓ２０９でＹＥＳ）には、表示制御部１１６よって、ステップＳ２０９において設定された論理チャンネルに対応するテレビジョン放送が受信され、受信された映像情報がディスプレイ１７３に表示されて（Ｓ２１１）、処理が終了される。
【００８２】
ステップＳ２０３でＮＯの場合には、図８に示すように、チャンネル変更部１１８によって、チャンネルアップキーの押下（＝表示チャンネル番号を増加する旨の操作入力）が受け付けられたか否かの判定が行われる（Ｓ２１３）。チャンネルアップキーの押下が受け付けられていないと判定された場合（Ｓ２１３でＮＯ）には、処理がステップＳ２１９に進められる。チャンネルアップキーの押下が受け付けられたと判定された場合（Ｓ２１３でＹＥＳ）には、チャンネル変更部１１８によって、表示チャンネル番号として選択中の論理チャンネル番号よりチャンネル番号が大きく、選定された国名識別情報と同一の国名識別情報に対応付けられた論理チャンネル番号情報が設定される（Ｓ２１５）。そして、表示制御部１１６よって、ステップＳ２１５において設定された論理チャンネルに対応するテレビジョン放送が受信され、受信された映像情報がディスプレイ１７３に表示されて（Ｓ２１７）、処理が終了される。
【００８３】
ステップＳ２１３でＮＯの場合には、チャンネル変更部１１８によって、チャンネルダウンキーの押下（＝表示チャンネル番号を減少する旨の操作入力）が受け付けられたか否かの判定が行われる（Ｓ２１９）。チャンネルダウンキーの押下が受け付けられていないと判定された場合（Ｓ２１９でＮＯ）には、処理が図７に示すステップＳ２０３に戻され、ステップＳ２０３以降の処理が繰り返し実行される。チャンネルダウンキーの押下が受け付けられたと判定された場合（Ｓ２１９でＹＥＳ）には、チャンネル変更部１１８によって、表示チャンネル番号として選択中の論理チャンネル番号よりチャンネル番号が小さく、選定された国名識別情報と同一の国名識別情報に対応付けられた論理チャンネル番号情報が設定される（Ｓ２２１）。そして、表示制御部１１６よって、ステップＳ２２１において設定された論理チャンネルに対応するテレビジョン放送が受信され、受信された映像情報がディスプレイ１７３に表示されて（Ｓ２２３）、処理が終了される。
【００８４】
このようにして、複数の周波数帯域情報が、それぞれ、周波数帯域を規定するチャンネル番号である物理チャンネル番号情報と対応付けて予め周波数記憶部１２１に格納されており、周波数記憶部１２１に格納された物理チャンネル毎に、予め設定された周波数帯域のテレビジョン放送を受信する受信部１４を介して、それぞれ対応する周波数帯域のテレビジョン放送の受信可否が判定される。そして、受信可能であると判定された場合に、受信部１４を介して、物理チャンネルに対応する周波数帯域に含まれ、ユーザによって選択されるチャンネル番号に対応する論理チャンネル毎に、対応するテレビジョン放送が対象とする視聴者の居住する国の国名を識別する国名識別情報が取得され、取得された国名識別情報が、物理チャンネル番号情報及び論理チャンネル番号情報と対応付けてチャンネル記憶部１２２に記録されるため、受信可能なチャンネルを利便性良好に利用することができる。
【００８５】
すなわち、受信可能なテレビジョン放送が対象とする視聴者の居住する国の国名を識別する国名識別情報が取得され、取得された国名識別情報が、物理チャンネル番号情報及び論理チャンネル番号情報と対応付けてチャンネル記憶部１２２に記録されるため、ユーザは、チャンネル記憶部１２２に格納された国名識別情報を参照して論理チャンネル番号情報を指定することによって、所望する国名識別情報を有するテレビジョン放送を視聴することが可能となるので、受信可能なチャンネルを利便性良好に利用することができるのである。
【００８６】
また、国毎の標準時を規定するテーブルであるＴＯＴ情報に含まれる国コード情報に基づいて、国名識別情報が取得されるため、的確な国情報を容易に取得することができ、受信可能なチャンネルを更に利便性良好に利用することができる。
【００８７】
すなわち、欧州のデジタル放送規格であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）において規定されているように、国毎の標準時を規定するテーブルであるＴＯＴ（Ｔｉｍｅ  Ｏｆｆｓｅｔ  Ｔａｂｌｅ）情報には、オフセット時間を示す記述子（Ｌｏｃａｌ  ｔｉｍｅ  ｏｆｆｓｅｔ  ｄｅｓｃｒｉｐｔｏｒ）に国コード（ｃｏｕｎｔｒｙ＿ｃｏｄｅ）情報が含まれている（ＥＴＳＩ  ＥＮ  ３００  ４６８  Ｖ１．７．１（２００６−０５）参照）ため、ＴＯＴ情報に含まれる国コード情報に基づいて、国名識別情報が取得されるので、的確な国情報を容易に取得することができるのである。
【００８８】
更に、ユーザが視聴を所望するテレビジョン放送に対応する国の国名識別情報である視聴国名情報として、少なくとも１の国名識別情報が国名記憶部１２３に予め格納されており、チャンネル記憶部１２２に格納された論理チャンネル番号情報の中から、国名記憶部１２３に格納された国名識別情報と同一の国名識別情報に対応付けられた論理チャンネル番号情報が抽出される。そして、リモコン２を介してユーザからの操作入力が受け付けられて、受け付けられた操作入力に基づいて、抽出された論理チャンネル番号情報がディスプレイ１７３に表示されるため、受信可能なチャンネルを更に利便性良好に利用することができる。
【００８９】
すなわち、チャンネル記憶部１２２に格納された論理チャンネル番号情報の中から、国名記憶部１２３に格納された国名識別情報と同一の国名識別情報に対応付けられた論理チャンネル番号情報が抽出され、リモコン２を介してユーザからの操作入力に基づいて、抽出された論理チャンネル番号情報がモニタに表示されるため、ユーザは、チャンネル記憶部１２２に視聴を所望するテレビジョン放送の国名識別情報を予め格納しておくことによって、視聴を所望するテレビジョン放送を容易に視聴することが可能となるので、受信可能なチャンネルを更に利便性良好に利用することができるのである。
【００９０】
加えて、リモコン２を介してユーザからの操作入力が受け付けられて、受け付けられた操作入力に基づいて、ディスプレイ１７３に表示された論理チャンネル番号情報の中から、１の論理チャンネル番号情報が、映像情報を表示する論理チャンネル番号情報として設定されるため、受信可能なチャンネルを更に利便性良好に利用することができる。
【００９１】
すなわち、ユーザが視聴を所望する国名識別情報を有するテレビジョン放送の論理チャンネル番号情報がディスプレイ１７３に表示され、ディスプレイ１７３に表示された論理チャンネル番号情報の中から、１の論理チャンネル番号情報が、映像情報を表示する論理チャンネル番号情報として設定されるため、視聴を所望する国名識別情報を有するテレビジョン放送を容易に視聴することができるので、受信可能なチャンネルを更に利便性良好に利用することができるのである。
【００９２】
また、国名記憶部１２３に、複数の国名識別情報が予め格納されており、リモコン２を介してユーザからの操作入力が受け付けられて、受け付けられた操作入力に基づいて、国名記憶部１２３に格納された複数の国名識別情報の中から１の国名識別情報が選定され、選定された１の国名識別情報と同一の国名識別情報に対応付けられた論理チャンネル番号情報が抽出されて、抽出された論理チャンネル番号情報がディスプレイ１７３に表示されるため、受信可能なチャンネルを更に利便性良好に利用することができる。
【００９３】
すなわち、ユーザが視聴を所望するテレビジョン放送の国名識別情報が複数ある場合に、該複数の国名識別情報をチャンネル記憶部１２２に予め格納しておき、国名記憶部１２３に格納された複数の国名識別情報の中から１の国名識別情報を選定することによって、選定された１の国名識別情報と同一の国名識別情報に対応付けられた論理チャンネル番号情報が抽出されて、抽出された論理チャンネル番号情報がディスプレイ１７３に表示されるため、視聴を所望する国名識別情報を有するテレビジョン放送を容易に視聴することができるので、受信可能なチャンネルを更に利便性良好に利用することができるのである。
【００９４】
更に、国名識別情報が取得される度に、取得された国名識別情報が国名記憶部１２３に記録されるため、ユーザが視聴を所望するテレビジョン放送の国名識別情報を国名記憶部１２３に格納する必要がないため、受信可能なチャンネルを更に利便性良好に利用することができる。
【００９５】
加えて、ユーザが視聴を所望するテレビジョン放送に対応する国の国名識別情報である視聴国名情報として、複数の国名識別情報が予め国名記憶部１２３に格納されており、リモコン２を介してユーザからの操作入力が受け付けられて、受け付けられた操作入力に基づいて、国名記憶部１２３に格納された複数の国名識別情報の中から１の国名識別情報が選定される。そして、リモコン２を介してユーザからの、ディスプレイ１７３に映像を表示する論理チャンネル番号である表示チャンネル番号を増加する旨の操作入力（＝図２に示すリモコン２に配設されたチャンネル変更キー２４のチャンネルアップキーの押下）が受け付けられて、表示チャンネル番号を増加する旨の操作入力が受け付けられた場合に、チャンネル記憶部１２２に格納された論理チャンネル番号情報の中から、表示チャンネル番号として選択中の論理チャンネル番号よりチャンネル番号が大きく、国名記憶部１２３に格納された複数の国名識別情報の中から選定された国名識別情報と同一の国名識別情報に対応付けられ、且つ、選択中の論理チャンネル番号とのチャンネル番号の差の絶対値が最も小さい１の論理チャンネル番号情報が設定されるため、受信可能なチャンネルを更に利便性良好に利用することができる。
【００９６】
すなわち、表示チャンネル番号を増加する旨の操作入力（＝チャンネルアップキーの押下）が受け付けられた場合に、チャンネル記憶部１２２に格納された論理チャンネル番号情報の中から、選定された国名識別情報と同一の国名識別情報を有する論理チャンネル番号情報が順次設定されるため、ユーザは、表示チャンネル番号を増加する旨の操作入力（＝チャンネルアップキーの押下）を行うことによって、ユーザが視聴を所望する国名識別情報を有するテレビジョン放送に対応する論理チャンネル番号情報を順次（昇順で）設定することができるので、受信可能なチャンネルを更に利便性良好に利用することができるのである。
【００９７】
また、リモコン２を介してユーザからのディスプレイ１７３に映像を表示する論理チャンネル番号である表示チャンネル番号を減少する旨の操作入力（＝図２に示すリモコン２に配設されたチャンネル変更キー２４のチャンネルダウンキーの押下）が受け付けられて、表示チャンネル番号を減少する旨の操作入力が受け付けられた場合に、チャンネル記憶部１２２に格納された論理チャンネル番号情報の中から、表示チャンネル番号として選択中の論理チャンネル番号よりチャンネル番号が小さく、国名記憶部１２３に格納された複数の国名識別情報の中から選定された国名識別情報と同一の国名識別情報に対応付けられ、且つ、選択中の論理チャンネル番号とのチャンネル番号の差の絶対値が最も小さい１の論理チャンネル番号情報が設定されるため、受信可能なチャンネルを更に利便性良好に利用することができる。
【００９８】
すなわち、表示チャンネル番号を減少する旨の操作入力（＝チャンネルダウンキーの押下）が受け付けられた場合に、チャンネル記憶部１２２に格納された論理チャンネル番号情報の中から、選定された国名識別情報と同一の国名識別情報を有する論理チャンネル番号情報が順次設定されるため、ユーザは、表示チャンネル番号を減少する旨の操作入力（＝チャンネルダウンキーの押下）を行うことによって、ユーザが視聴を所望する国名識別情報を有するテレビジョン放送に対応する論理チャンネル番号情報を順次（降順で）設定することができるので、受信可能なチャンネルを更に利便性良好に利用することができるのである。
【００９９】
更に、受信部１４を介して受信される放送波のビットエラーレートが、予め設定された所定の閾値（ここでは、１０-7）以下である場合に、受信可能であると判定されるため、的確且つ容易に受信可否を判定することができるので、受信可能なチャンネルを更に利便性良好に利用することができる。
【０１００】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でもよい。
【０１０１】
（Ｂ）本実施形態では、ＭＰＵ１１が、受信可否判定部１１１、国名取得部１１２、国名記録部１１３、国名選定部１１４、番号抽出部１１５、表示制御部１１６、チャンネル設定部１１７、チャンネル変更部１１８等の機能部を備える場合について説明したが、受信可否判定部１１１、国名取得部１１２、国名記録部１１３、国名選定部１１４、番号抽出部１１５、表示制御部１１６、チャンネル設定部１１７、及び、チャンネル変更部１１８の内、少なくとも１の機能部が、回路等のハードウェアによって実現されている形態でもよい。
【０１０２】
（Ｃ）本実施形態では、国名選定部１１４が、表示制御部１１６によって論理チャンネル番号情報がディスプレイ１７３に表示されている状態で、方向キー２２（左方向キー又は右方向キー）の押下を受け付けると、選択中の国名識別情報の１つ前（又は１つ後）に格納されている１の国名識別情報を選定する場合について説明したが、国名選定部１１４が、リモコン２に配設された特定のキーが押下されると、国名記憶部１２３に格納された国名識別情報を選択可能にディスプレイ１７３に表示し、リモコン２を介してユーザの操作入力を受け付けて、１の国名識別情報を選定する形態でもよい。この場合には、ユーザの所望する国名識別情報を正確に選定することができる。
【図面の簡単な説明】
【０１０３】
【図１】は、本発明に係るデジタル放送受信機の構成の一例を示すブロック図である。
【図２】は、リモコンの一例を示す正面図である。
【図３】は、本発明に係るデジタル放送受信機における主要部の構成の一例を示すブロック図である。
【図４】は、チャンネル記憶部に格納されたチャンネルリストの一例を示す図表、及び、表示制御部によってディスプレイに選択可能に表示される論理チャンネル番号情報の一例を示す図表である。
【図５】は、図４（ａ）に示すチャンネルリストに対応するソートリストの一例を示す図表である。
【図６】は、デジタル放送受信機（主にＭＰＵ）のチャンネルリスト生成処理の一例を示すフローチャートである。
【図７】は、デジタル放送受信機（主にＭＰＵ）のチャンネル設定変更処理の一例を示すフローチャート（前半部）である。
【図８】は、デジタル放送受信機（主にＭＰＵ）のチャンネル設定変更処理の一例を示すフローチャート（後半部）である。
【符号の説明】
【０１０４】
１    デジタル放送受信機（デジタル放送受信装置）
１１    ＭＰＵ
１１１    受信可否判定部（受信可否判定手段）
１１２    国名取得部（国名取得手段）
１１３    国名記録部（国名記録手段）
１１４    国名選定部（国名選定手段の一部）
１１５    番号抽出部（番号抽出手段）
１１６    表示制御部（表示制御手段の一部）
１１７    チャンネル設定部（チャンネル設定手段の一部）
１１８    チャンネル変更部（チャンネル変更手段の一部）
１２    ＲＡＭ
１２１    周波数記憶部（周波数記憶手段）
１２２    チャンネル記憶部（チャンネル記憶手段）
１２３    国名記憶部（国名記憶手段）
１４    受信部（受信手段）
１７    画像出力部
１７３    ディスプレイ
２    リモコン（国名選定手段の一部、チャンネル設定手段の一部、チャンネル変更手段の一部、及び、表示制御手段の一部）
２２    方向キー
２３    決定キー
２４    チャンネル変更キー
２５    メニューキー
【図１】
2009049837.tif 000003
【図２】
2009049837.tif 000004
【図３】
2009049837.tif 000005
【図４】
2009049837.tif 000006
【図５】
2009049837.tif 000007
【図６】
2009049837.tif 000008
【図７】
2009049837.tif 000009
【図８】
2009049837.tif 000010